(57)【要約】【課題】地震等によるドア部分の変形や歪が生じてもドア封止状態が生じないように回避させる技術を、ドアの外観に悪影響が出ないようにしながら、構造簡単で低コストに、しかも、尖り変形する等によってドア枠とドアとが極小部分で強く圧接されるような場合でも有効に機能する耐震用ドアを実現させる。【解決手段】建物躯体に支持されるドア枠３と、ドア枠３に枢支されるドア１と、ドア枠３とドア１とに跨り構成される耐震装置Ｆとを有する耐震用ドアにおいて、耐震装置Ｆは、ドア１におけるドア軸心の反対側のドア側面１ａと、ドア側面１ａに臨み、かつ、上下向き軸心Ｘ回りに回転自在にドア枠３に支承されるローラ５５を有するローラ機構Ｒとから成り、ローラ機構Ｒを、ローラ５５の外周面５５ａとドア側面１ａとの間に僅かな間隙ｋが存在するように設けることにより構成されていることを特徴とするものである。【選択図】図６
2008069534.tif 000002
【特許請求の範囲】
【請求項１】
建物の躯体に支持されるドア枠と、縦軸心回りに揺動開閉自在に前記ドア枠に枢支されるドアと、前記ドア枠と前記ドアとに跨る状態に構成される耐震装置と、を有して成る耐震用ドアであって、
前記耐震装置は、前記ドアにおける前記縦軸心の存在側と反対側のドア側面と、このドア側面に臨み、かつ、上下向き軸心回りに回転自在な状態で前記ドア枠に支承されるローラを有するローラ機構とから成るとともに、前記ローラ機構を、前記ローラの外周面と前記ドア側面との間に僅かな間隙が存在するように設けることにより構成されている耐震用ドア。
【請求項２】
前記耐震装置が、前記ドアを閉じ状態にロック並びにロック解除が自在なドアロック機構の上下の夫々に配設されている請求項１に記載の耐震用ドア。
【請求項３】
前記ローラ機構は、前記ローラを相対回動自在に貫通するピン軸を介して両持ち支承する断面コ字状の支承部、及びこの支承部の開口側の両端から直角に曲げられて続く計一対の取付座を有する板金製の支持金具と、前記ローラと、から構成されており、前記各取付座は前記ドア枠にビス止め自在とされている請求項１又は２に記載の耐震用ドア。
【請求項４】
前記ローラの材質がステンレススチールである請求項１〜３の何れか一項に記載の耐震用ドア。
【発明の詳細な説明】
【技術分野】
【０００１】
本発明は、マンションやオフィスビル等における玄関、部屋間の仕切り、非常口等に設置される耐震用ドアに係り、詳しくは、建物の躯体に支持されるドア枠と、縦軸心回りに揺動開閉自在にドア枠に枢支されるドアと、ドア枠とドアとに跨る状態に構成される耐震装置と、を有して成る耐震用ドアに関するものである。
【背景技術】
【０００２】
地震国日本においては、建造物には他国に無い高いレベルでの耐震性能が要求されており、それ故、近年におけるビル、マンション、戸建住宅等においては強い地震にも耐え得る高度な設計が為されていることが多い。例えば、マンション等の高層ビルの設計や建築には、柔構造等の耐震構造が採用されて耐震性が向上しており、地震発生時におけるビルの倒壊や崩壊等の損傷防止が図られている、といった具合である。
【０００３】
しかしながら、地震が生じた場合にビルの建物自体が倒壊や崩壊から免れたとしても、建物の各部分には地震動による変形や歪みが発生することが十分に考えられる。例えば、地震動による力でドア枠周辺の壁に変形や歪が生じてドア枠にも変形や歪みが生じるような場合には、歪んだドア枠がドアを強固に押圧して恰も係止固定されてしまうような状態（ドア封止状態）になり、逃げようとしてもドアが開かない危険な状況になってしまう。特に、マンションやオフィスビルの玄関ドアは、消防法上や防犯上という耐震の点以外の条件によって強度や剛性に優れるスチール製とされていることから、建物の変形や歪みに因る上述のドア封止状態が生じ易く、かつ、より開け難いという懸念がある。
【０００４】
上記懸念を解消すべく、特許文献１において開示されるように、玄関ドアを、ドア枠に開閉自在に内嵌される外側の第１ドアと、この第１ドアに対して開閉可能に内嵌される第２ドアとから構成して、地震等によってドア枠が変形する場合には第１ドアの変形で吸収させ、第２ドアの開閉機能は確保させることにより、前記ドア封止状態の回避を狙った技術が知られている。これにより、確かに建物の変形や歪が生じる強い地震時でも、何とか玄関ドアから外に出ることが可能となる好ましいドアが提供できる技術ではある。しかしながら、二重ドア構造の玄関ドアは外観に制限が加えられるとともに、通常は全く使わない第２ドアを一体に設ける点で構造が複雑になり、かつ、コストも高く付く難点がある。
【０００５】
そこで、特許文献２において開示されるように、ドア枠とドアとの各対向面にセラミックスや二硫化モリブデン等の低摩擦係数の固定潤滑材料片を溶射等によって固定させることにより、地震等による変形や歪みによってドア枠とドアとが強固に押圧されても、前述のドア封止状態になることが回避され、比較的弱い力でもドアの開閉が可能となる技術がある。これにより、従来のスチール製ドアと外観が変わることがまずなく、かつ、構造簡単で低コストに設置可能となる耐震要ドアを提供できる利点がある。
【特許文献１】特開２００４−６８２５４号公報
【特許文献２】特開２００３−２７８５４号公報
【発明の開示】
【発明が解決しようとする課題】
【０００６】
しかしながら、特許文献２による開示技術では、低摩擦状態によってドア封止状態を回避できる効果が発揮されるには、ドア枠とドアとが面どうしで当接することが前提となるものであるが、ドア枠に鋭角で屈曲変形した尖り頂部がドア側面に食込むように変形するとか、ドア枠の亀裂面という部分的に鋭利な箇所が当接するような場合には、面どうしの当接状況にはならず、依然としてドア封止状態になるおそれがある。このように、地震等による実際の変形・歪時にはどのような状況になるかが予測不可能であるから、耐震用ドアとしては更なる改善の余地が残されているものであった。
【０００７】
本発明の目的は、地震等によるドア部分の変形や歪が生じても前記ドア封止状態が生じないように回避させる技術を、ドアの外観に悪影響が出ないようにしながら、構造簡単で低コストに、しかも、尖り変形する等によってドア枠とドアとが極小部分で強く圧接されるような場合でも有効に機能する耐震用ドアを実現し、提供する点にある。
【課題を解決するための手段】
【０００８】
請求項１に係る発明は、建物の躯体に支持されるドア枠３と、縦軸心Ｐ回りに揺動開閉自在に前記ドア枠３に枢支されるドア１と、前記ドア枠３と前記ドア１とに跨る状態に構成される耐震装置Ｆと、を有して成る耐震用ドアにおいて、
前記耐震装置Ｆは、前記ドア１における前記縦軸心Ｐの存在側と反対側のドア側面１ａと、このドア側面１ａに臨み、かつ、上下向き軸心Ｘ回りに回転自在な状態で前記ドア枠３に支承されるローラ５５を有するローラ機構Ｒとから成るとともに、前記ローラ機構Ｒを、前記ローラ５５の外周面５５ａと前記ドア側面１ａとの間に僅かな間隙ｋが存在するように設けることにより構成されていることを特徴とするものである。
【０００９】
請求項２に係る発明は、請求項１に記載の耐震用ドアにおいて、前記耐震装置Ｆが、前記ドア１を閉じ状態にロック並びにロック解除が自在なドアロック機構３７の上下の夫々に配設されていることを特徴とするものである。
【００１０】
請求項３に係る発明は、請求項１又は２に記載の耐震用ドアにおいて、前記ローラ機構Ｒは、前記ローラ５５を相対回動自在に貫通するピン軸５６を介して両持ち支承する断面コ字状の支承部５７ａ、及びこの支承部５７ａの開口側の両端から直角に曲げられて続く計一対の取付座５７ｂ，５７ｂを有する板金製の支持金具５７と、前記ローラ５５と、から構成されており、前記各取付座５７ｂ，５７ｂは前記ドア枠３にビス止め自在とされていることを特徴とするものである。
【００１１】
請求項４に係る発明は、請求項１〜３の何れか一項に記載の耐震用ドアにおいて、前記ローラ５５の材質がステンレススチールであることを特徴とするものである。
【発明の効果】
【００１２】
請求項１の発明によれば、次のような作用効果が得られる。即ち、通常のドアは幅寸法よりも上下寸法が十分に大きい縦長矩形を呈するものであるから、地震等によってドア枠に変形や歪みが生じる場合は、その殆どが左右方向圧縮されてドアが開かなくなるというケースが予測される。そこで、ドアの縦軸心存在側と反対側のドア側面とドア枠に跨る状態で構成されるローラ利用の耐震装置を設けたことにより、地震等によってドア枠とドアが横方向に強く押付け合うように変形した場合には、回転自在なローラとドア側面とが強く当接する状態になるから、例えば、固体どうしが強く当接している場合に比べて、ドアを人力によって外方に強く押せば、ローラの回転による低摩擦状態に相当する状態になっていることから固いながらも何とか開くことが可能になる。故に、地震等によってドア枠が変形する等してドアが強く係止固定されるような状態になっても、耐震装置の機能によって人力に因ってドアを開くことが可能になり、部屋に閉じ込められることが回避され、迅速に戸外に逃避することが可能になる。尚、ドアが局部的に変形してローラに強く当るように尖り変形するような場合でも、ローラの回転によってドアの開き操作が可能になることが予測される。
【００１３】
そして、耐震装置においては、ドア枠にローラを設けてあるから、共通使用されることの多いドアは、そのドア側面を板厚が厚くなるように内側から補給する程度の改造で済み、外観の変更の必要がなく、共通使用の制約となることがまず生じない点で好ましい。ドア枠に関しては、建物の躯体状況に応じて比較的設計変更が頻繁に行われ易いものであるから、ローラを回転自在に設ける構成の追加がドアに設ける場合に比べて十分な支承強度が得易く、かつ、コストアップも少なくしながら設けることが可能になる。例えば、ドアにローラ機構を設ける構成では、ローラ支持強度を持たすべくドアに横向きの補強部材を新設しなければならない等の強度向上の大幅な構造変更やそれに伴うコストアップが余儀なくされるとともに、ローラ機構が損傷したときにはドアごと交換しなければならない可能性が高いといった不利があるが、ドア枠にローラ機構を設ける本発明の構成では、ドア枠は元々強度に優れていて支持強度が十分取れることから、ローラ機構の追加構成が容易に行えるとともに、損傷した場合にはローラ機構のみの交換で済む確率が高くなり、強度面や経済的な点で有利である。尚、通常ではドア側面とローラとには間隙が存在しているので、ドアの開閉には何らの影響も無い。
【００１４】
その結果、地震等によるドア部分の変形や歪が生じてもドア封止状態が生じないように回避させる技術を、ドアの外観に悪影響が出ないようにしながら、構造簡単で低コストに、しかも、尖り変形する等によってドア枠とドアとが極小部分で強く圧接されるような場合でも有効に機能する耐震用ドアを実現して提供することができる。
【００１５】
請求項２の発明によれば、ドアロック機構の上下二耐震装置が配備されているので、例えばロックバーがドア枠側に挿入されているドア封止状態でドア枠の変形が生じた場合でも、耐震装置によってその周辺がある程度以上は変形しないように保護され、ドアロックを解除することが可能となる利点が追加されるより優れた耐震用ドアを提供することができる。
【００１６】
請求項３の発明によれば、板金部材によってローラを回転自在に支承する状態でドア枠に装備する構造であって、強度十分な耐震装置を廉価に構成できる利点がある。また請求項４にように、強度十分で錆にも強いステンレススチールでローラを構成すれば好都合である。
【発明を実施するための最良の形態】
【００１７】
以下に、本発明による耐震用ドアの実施の形態を、マンションの玄関ドアに採用した場合において図面を参照しながら説明する。図１は室外側から見た正面図、図２は室内側から見た正面図、図３はドア部分の縦断面図、図４は袖パネル部分の縦断面図、図５は横断面図、図６は別構造の袖パネル付玄関ドアを室外側から見た概略の正面図である。
【００１８】
〔実施例１〕
図１，図２はマンション用の袖パネル付玄関ドア（耐震用ドア）Ａを示している。この袖パネル付玄関ドアＡは、建物の躯体側Ｋに支持されるドア枠３と、外部から見て右側の端部に設定される上下向きの支点である第１縦軸心Ｐ１回りに揺動開閉自在にドア枠３に枢支されるドア１と、ドア１の左側端に隣り合わせて配置され、かつ、外部から見て左側の端部に設定される上下向きの第２縦軸心Ｐ２回りに揺動開閉自在な状態でドア枠３に枢支される袖パネル２とを有して構成されている。
【００１９】
ドア１は頻繁に開閉されるものであるが、袖パネル２は各種の機能設備Ｅを有する機能部品であって滅多には開閉されない。即ち、袖パネル２の揺動開閉は、各種機能設備Ｅの点検や整備のために行えるようにしてあるものであり、通常は閉じた姿勢に係止されている。また、袖パネル２裏側には壁等の建物の構造物が近接して存在しており、室外側からは外枠３の全体が見える（図１参照）が、中間縦枠３Ｃの途中から壁等の壁建物内に侵入配置されており、室内側からはドア枠３の中間縦枠３Ｃの途中から袖パネル側部分は見えない（図２の仮想線部分等を参照）ものとなっている。
【００２０】
玄関壁Ｗに埋め込まれ配置されるドア枠３は、図１〜図５に示すように、左縦枠３Ｌ、右縦枠３Ｒ、上横枠３Ａ、下横枠３Ｂ、及び中間縦枠３Ｃとを有して成り、正面視（室外から見る場合）では全ての枠３Ａ，３Ｂ，３Ｃ，３Ｌ，３Ｒが見えるが、背面視（室内から見る場合）では左縦枠３Ｌ以外の部分が見える状態となっている。これらの枠３Ｌ，３Ｒ，３Ａ，３Ｂ，３Ｃは、ステンレス鋼板、圧延鋼板等のスチール材を用いて形成されている（戸建住宅等ではアルミ合金材が使用されることもある）。
【００２１】
左縦枠３Ｌは、断面Ｌ字形のブラケット５と、ブラケット５の両端に亘って連結されるチャンネル型部材６とから形成されている。チャンネル型部材６の外側には、袖パネル２の左端部が位置する隅角部６ａが形成されている。この左縦枠３Ｌは玄関壁Ｗに埋め込み配置される箇所であり、室内側からは見えない。この左縦枠３Ｌの右側（ドア側）には、中間縦枠３Ｃ、及び上下の横枠３Ａ，３Ｂとで囲まれて前後に貫通するする枠孔部３Ｓが形成されている。枠孔部３Ｓは電気配線（図示省略）の通路等に利用自在である。
【００２２】
右縦枠３Ｒは、断面Ｌ字形のブラケット４と、ブラケット４の前端に連結されるチャンネル型部材７と、これら両者４，７の後端部どうしに亘って連結される断面Ｌ字形状の後内部材８と、後内部材８に固定されて躯体側Ｋに対する断面Ｌ字状の取付用部材２９とから形成されている。チャンネル型部材７は断面が階段状を為し、ドア１との間隙を密封するための上下に長いシール部材９を装備するために、後内部材８前端の折り返し部８ａとの間に形成されるシール用凹み部７ａ、及びドア１を開いたときにおいて装飾パネルＳＰ（後述）との干渉を避けるための逃げ凹み部７ｂが形成されている。
【００２３】
シール部材９は、中空各断面形状を有するシール基部９Ａと、ドア１に押圧接触する複数（２枚）のシールリップ９Ｂ，９Ｂとを有するゴム製のものに形成されている。シール用凹み７ａは、チャンネル型部材７における横向き壁と、これに直交する前後向き壁と、後内部材８の折り返し部８ａとの三壁で囲まれた上下に長い凹入溝として形成されており、シール基部９Ａを圧入的な嵌め入れ装着が自在に構成されている。逃げ凹み部７ｂは、シール用凹み７ａの前方側においてチャンネル型部材７に形成される横向き壁と前後向き壁とが直交する部位、即ち、二辺で挟まれる隅角部として形成されている。
【００２４】
上横枠３Ａは、断面Ｌ字形のブラケット１１と、段差状の断面形状を呈する主型部材１２と、これら両者１１，１２の後端部どうしに亘って連結される断面略Ｌ字形のカバー部材１３と、取付け用部材１９とから形成されている。第１縦軸心Ｐ１部位における軸受け筒１４を支持するための軸補強板１５と、上横枠３Ａにおけるドアクローザー用の補強板１６とが装備されている。主型部材１２の前下向きの隅角部とカバー部材１３の折り返し部１３ａとで囲まれる左右に長い凹入溝１７には、閉じ姿勢におけるドア１とドア枠３とを密封するための横シール部材１８が装備されている。この横シール部材１８は、リップ部を有する状態で凹入溝１７に圧入されるシール基部１８ａと、断面略筒状のシール部１８ｂとを有して形成されている。ただし、袖パネル２部位における上横枠３Ａは、図４に示すように、主型部材１２とブラケット１１とによる高強度な部材に形成されている。
【００２５】
下横枠３Ｂは、断面Ｌ字形の支持部材２０と、段差状の断面形状を呈するステンレス鋼板製の下側カバー２１と、断面略Ｌ字形状でステンレス鋼板製の上側カバー２２と、を有する高強度な部材に形成されている。下側カバー２１の下側には、第１縦軸心Ｐ１における受け軸部２３を支持するための補強部材２４が一体化されている。下側カバー２１の前上向きの隅角部と上側カバー２２の折返し部２２ａとで囲まれる横に長い凹入溝２５には、ドア１の下端部に当接して密封するために、上横枠３Ａに装備されるものと同一の横シール部材１８が圧入装備される。ただし、袖パネル２部位における下横枠３Ｂは、図４に示すように、下側カバー２１と支持部材２０とによる高強度な部材に形成されている。
【００２６】
中間縦枠３Ｃは、左後側のブラケット２６と、右後側部材２７と、前側部材２８と、取付け用部材２９から成る中空断面の高強度部材として構成されている。この中間縦枠３Ｃは、右縦枠３Ｒとの間のドア１用の空間部Ｔ１と、左縦枠３Ｌとの間の袖パネル２用の空間部Ｔ２とを仕切るおのであるとともに、閉じ姿勢におけるドア１や袖パネル２の受け部材として機能する。前側部材２８の前右向きの隅角部と右後側部材２７の前端折返し部２７ａとで形成される上下に長い凹入溝３０には、ドア１の揺動先端側端部と中間縦枠３Ｃとの間を密封するためのシール部材３１が嵌装されている。このシール部材３１は横シール部材１８と同一のものである。
【００２７】
ドア１は、図１〜図３，図５に示すように、内部にグラスウール等の断熱材や吸音材が充填された中空で矩形を呈するドア本体部１Ｈ、これの外側面に一体化される複数（５枚）の装飾パネルＳＰ及び開閉機能部ａ等を有して構成されている。ドア本体部１Ｈの左側端には、中間縦枠３Ｃにおける幅狭で前方突出する枠前端部３ｃの前側に回り込む庇状の折返し部１ｋが形成されている。折返し部１ｋは、鋼板等の板材の折返しによる二重板部分として形成されている。ドア本体部１Ｈの右側壁には、断面が半円弧を呈する中空のパイプ部材３２が一体的に取り付けられており、それによってドア本体Ｈにおける枢支側の端部は、第１縦軸心Ｐ１を中心とする半円弧状の横断面形状を呈する状態に形成されている。ドア本体部１Ｈの右端部の下端部及び上端部には、主ドア１を揺動開閉自在にドア枠３に枢支するための凹凸嵌合構造による下及び上枢支構造部３３，３４が構成されている。
【００２８】
上枢支構造部３４は、図３に示すように、ドア本体部１Ｈの内部において頑強に支持されている軸部材３５と、この軸部材３５を内嵌自在な状態で上横枠３Ａに支持される軸受け筒１４とから構成されている。下枢支構造部３３は公知の構造に付き、詳細な説明は割愛する。
【００２９】
装飾パネルＳＰは、前面１０Ｓ、上下左右の各側壁１０Ａ，１０Ｂ，１０Ｃ，１０Ｄ、及び各折返し壁１０ａ，１０ｂ，１０ｃ，１０ｄを有し、表面に木目模様等の意匠が施された板金製で所定の厚み寸法を有する箱形状のパネル部材１０の５枚で形成されている。要するに、互いに上下寸法の等しい５枚のパネル部材１０が隙間無く並べられてドア本体部１Ｈの前側面に一体的に装備することで装飾パネルＳＰとして構成されている。このように、ドア１は、ドア１の閉じ状態において右縦枠３Ｒと中間縦枠３Ｃとの間に配置されるドア本体部１Ｈと、中間縦枠３Ｃの前に位置する側端部１０ｔを有する状態でドア本体部１Ｈの前側に配置されるパネル部材１０の５枚とを有して構成されている。側端部１０ｔは、ドア本体部１Ｈの折返し部１ｋの前側に位置しており、パネル部材１０によって折返し部１ｋが効果的に補強されている。
【００３０】
上から３番目のパネル部材１０は、他の４枚のパネル部材１０に比べて横幅が狭く形成されており、それによって袖パネル側に開閉機能部ａを構成するための支持パネル５２を配置させてある。支持パネル５２の板金構造は、材質が異なる以外は基本的にパネル部材１０と同構造である。また、各パネル部材１０の右側（第１縦軸心Ｐ１側）の端部の位置は、前後方向視において第１縦軸心Ｐ１に、即ち、ドア本体部１Ｈとパイプ部材３２との境目に合致（又はほぼ合致）する状態に構成されている。これにより、三部品（ドア本体部１Ｈ、パイプ部材３２、パネル部材１０）の交わり部分が１本の縦ラインに見えるように仕上げられている。
【００３１】
開閉機能部ａは、支持パネル５２に配される内外のドアノブ３６と、支持パネル５２の上下で隣り合うパネル部材１０，１０部分に配置される上下一対の施錠装置３７，３７、内ロック３８（図２参照）等を有して構成されている。支持パネル５２は、パネル部材１０と同等の表面処理が為されても良いし、或いは、強度を上げるためにステンレス鋼板を用いて外観上もパネル部材１０と異なるように仕上げても良い。
【００３２】
次に、袖パネル２について説明する。袖パネル３は、図１，図４，図５に示すように、上下５枚の外側パネル材３９と、単一の内側支持材４０とを連結一体化して形成されており、外側パネル材３９に、第２縦軸心Ｐ２を有してドア枠３に対する上下の枢支部４１，４２が構成されている。内側支持材４０は、内側（室内側）に曲げ加工されることで上下左右の側壁４０Ａ，４０Ｂ，４０Ｃ，４０Ｄを有する板金材で形成されている。各外側パネル材３９は、上下左右の各側壁３９Ａ，３９Ｂ，３９Ｃ，３９Ｄを有しており、各左右側壁３９Ｃ，３９Ｄは、内側支持材４０の対応する左右の側壁３９Ｃ，３９Ｄに重ねられて一体化されている。
【００３３】
上枢支部４１は、最上段の外側パネル材３９に上下移動自在に支持される上支軸４６と、上支軸４６を上昇付勢する巻ばね４７と、上横枠３Ａに取付けられる受け部材４８とから構成されている。上支軸４６は、上横枠３Ａの孔（図示省略）を通って受け部材４８の下向き穴４８ａに挿入される作用姿勢と、上横枠３Ａよりも下方に位置する退避姿勢とに切換え自在であり、通常は巻ばね４７によって作用姿勢に上昇付勢維持されている。下枢支部４２は、ワッシャ４９を介して下横枠３Ｂに支持される下支軸５０と、最下段の外側パネル材３９に取付けられる受け部材５１とから成り、下支軸５０の上部が受け部材５１の下向き穴５１ａに嵌合されている。
【００３４】
袖パネル２について詳述すると、袖パネル２は、左縦枠３Ｌの内横部位から中間縦枠３Ｃの部位に亘る装飾用前壁部３９を有するとともに、装飾用前壁部３９の前面３９Ｓは装飾パネルＳＰの前面１０Ｓと面一（前後方向の位置が互いに同じ）となるように設定されている。袖パネル２は、装飾用前壁部３９を形成する外側パネル材３９に、袖パネル２の閉じ姿勢において左縦枠３Ｌと中間縦枠３Ｃとの間に配置される内側支持材４０を一体的に取付けることで構成されとともに、外側パネル材３９に第２縦軸心Ｐ２が設けられている。そして、外側パネル材３９は、後方開放の略コ字状で、かつ、中間縦枠３Ｃの前側に張り出す横膨出部３９ｔを含む略後方開放コ字状の横断面形状を呈する板金製の外板で形成され、後側部材４０は、横断面形状がコ字状を呈して外板３９の後部に内接一体化される内板で形成されている。
【００３５】
上下中間の３枚の外側パネル材３９には、内側支持材４０に重ねて一体化するための折返し部３９ａ，３９ｂが上下側壁３９Ａ，３９Ｂに形成されている。最上段の外側パネル材３９は、下側壁３９Ｂには内側支持材４０に重ねて一体化するための折返し部３９ｂがあるが、上側壁３９Ａには折返し部が無く、直接内側支持材４０の上側壁４０Ａに重ねられて一体化される。最下段の外側パネル材３９は、上側壁３９Ａには内側支持材４０に重ねて一体化するための折返し部３９ａがあるが、下側壁３９Ｂには折返し部が無く、直接内側支持材４０の下側壁４０Ｂに重ねられて一体化される。また、各外側パネル材３９には、内側支持材４０の後向き左右側壁４０Ｌ，４０Ｒに外接して固定するための左右の折り曲げ側壁３９Ｌ，３９Ｒが形成されている。右折り曲げ側壁３９Ｒは、略Ｚ型に屈曲されて前述の横膨出部３９ｔを形成している。尚、図５に示す５４は、袖パネル２を閉じ姿勢に維持すべく中間縦枠３Ｃの横突出部３ｔの前面に磁着自在なマグネットキャッチである。
【００３６】
各外側パネル材３９の上下長さは、ドア１のパネル部材１０の上下長さと同一に設定されており、上下に隣り合う外側パネル材３９，３９との境目である横目地３９ｍと、上下に隣り合うパネル部材１０，１０との境目である横目地１０ｍとは一直線に並ぶ状態に形成されている。この構成により、外観的には、ドア１と袖パネル２とは一続きのデザイン（意匠）が施されて一体的な物体として認識可能なものとなっており、外観向上や豪華さの向上に寄与できるものとなっている。
【００３７】
さて、袖パネル２に装備される各機能設備Ｅは、玄関灯５３、ネーム札４３、インターホン４４、新聞や郵便物等を収容するための外部ポスト４５から構成されている。玄関灯５３は最上段の外側パネル材３９に装備され、ネーム札４３とインターホン４４は上から２番目の外側パネル材３９に装備されている。外部ポスト４５は下から２番目の装備されている。外部ポスト４５は、上下３個のＵ字状部材４５ａと、最下段のＵ字状部材４５ａの内側に配される小Ｕ字状部材４５ｂとから構成されている。
【００３８】
次に、玄関ドアＡに装備される耐震装置について説明する。耐震装置Ｆは、図２，図６に示すように、ドア１における縦軸心Ｐ１の存在側と反対側のドア側面１ａと、このドア側面１ａに臨み、かつ、上下向き軸心Ｘ回りに回転自在な状態でドア枠３に支承されるローラ５５を有するローラ機構Ｒとから成るとともに、ローラ機構Ｒを、ローラ５５の外周面５５ａとドア側面１ａとの間に僅かな間隙ｋが存在するように設けることにより構成されている。この耐震装置Ｆは、上側の施錠装置（ドアロック機構の一例）３７の直上の位置と、下側の施錠装置３７の直下の位置との二箇所に配備されている。
【００３９】
ローラ機構Ｒは、図６，図７に示すように、ローラ５５を相対回動自在に貫通するピン軸５６を介して両持ち支承する断面コ字状の支承部５７ａ、及びこの支承部５７ａの開口側の両端から直角に曲げられて続く計一対の取付座５７ｂ，５７ｂを有する板金製の支持金具５７と、ステンレススチール製のローラ５５と、支承部５７ａに螺着自在なピン軸５６とから構成されている。ローラ機構Ｒは、中間縦枠３Ｃの右後側部材２８におけるドア側側面に形成されている取付用孔５８から中間縦枠３Ｃの内部に大部分が収容されており、各取付座５７ｂ，５７ｂは、右後側部材２８にビス５９を用いて螺着（ビス止め）されている。
【００４０】
通常は、図６に示すように、ドア側面１ａとローラ５５との間には横方向の間隙ｋが存在しており、ドア１の開閉操作には何らの影響も与えないが、地震等によってドア枠３がドア側に大きく変形したり歪んだりして、中間縦枠３Ｃとドア側面１ａとが強く押付け合ってドア１がドア枠３に係止固定されるようなドア封止状態では、図８に示すように、回転自在なローラ５５の外周面５５ａにドア側面１ａが当接されるようになる。従って、ドア１と中間縦枠３Ｃとは極低摩擦状態で互いに押圧される状態のようになるから、室内側から室外側に向けてドア１を強く押せば（矢印イを参照）、比較的容易にドア１を開くことが可能になり、マンションの躯体が歪んでドア枠３が変形する程の地震時でも、頑丈なスチール製のドア１を人力によって比較的容易に開けて脱出することが可能にある。
【００４１】
参考に、ドア１の抉じ開け対策手段Ｇについても説明する。図９，図１０に示すように、各施錠装置３７には、ドア枠３に対して挿抜移動するロックバー６０を前面側（室外側）から保護するためのガード板６１と、これをドア側面１ａに取付ける上下２本のビス６６，６６とから成る抉じ開け対策手段Ｇが装備されている。ガード板６１は、ロックバー６０の挿通が自在な角孔６２ａを有する先端板部６２と、ドア側面１ａにビス６６で止めるための止め孔６３ａ，６３ａ、及びロックバー６０を挿通自在な角孔６３ｂとが形成される基板部６３と、これら先端板部６２と基板部６３とをロックバー６２の前方側部分（室外側部部分）を覆う状態で連結するガード板部６４とを有する平面視の形状がコ字状を呈する板金部材で形成されている。尚、ロックバー６０の挿通を確実に行わすために、ドア側面１ａにビス止めされる基板部６３に形成されてロックバー６０との相対位置のズレ難い角孔６３ｂの大きさよりも、位置がズレ易い先端板部６２の角孔６２ａの大きさをやや大きくしてある。
【００４２】
中間縦枠３ｃの枠前端部３ｃには、先端板部６２の入り込みを自在とするための挿通孔６５が形成されており、施錠装置３７の施錠時（ロック時）では、図９に示すように、ロックバー６０は、角孔６３ｂ、右後側部材２８に形成されている角孔である取付用孔５８、及び角孔６２ａを貫通して中間縦枠３ｃに入り込むドアロック状態になっている。これによれば、ドアロック状態においてロックバー６０の直上又は直下におけるドア側面１ａと右後側部材２８との間にバールの先端部を差し込んで抉じ開けることでロックバー６０の中間縦枠３ｃとの係合を無理矢理外そうとする手口の操作を行うとしても、ガード板６１が邪魔になってロックバー６０から離れた位置でしか前述のバール操作ができないようになっている。従って、バールを用いた玄関ドアの抉じ開けが実質的に不能となり、防犯性能が向上する。
【００４３】
さて、ドアを耐震仕様とするには、ドアとドア枠とが相対的に多少変形しても開閉可能となるように、それら両者の間に所定値以上の間隙を確保することがまず考えらる。そこで、ドア装置を耐震仕様に変更するには、ドアの縮小化又はドア枠の拡大化の変更に加えて、ドアロック機構の変更又はドアロック機構の支持構造の変更が必要になる。購入部品であるドアロック機構におけるロックバーの出退量を、間隙が広くなった分大きくする変更（ドアロック機構の変更）は、割高なコストアップになって実現が困難である。ロック時におけるロックバーのドア枠との掛り代（挿入量）を不変とすべく、ドア枠にドア側に突出する係合穴構造部を付設する変更（支持構造の変更）では、地震等による多少のドアとドア枠との相対変形を許容するために（即ち耐震仕様を有効化するために）、係合穴構造部が容易に変形して潰れるように設定するしかないが、そうすると前述の「バールによる抉じ開け被害」に合い易い不都合があり、やはり実現が困難である。この場合、前記抉じ開け対策手段Ｇを施したとしても、元々係合穴構造部の強度や剛性が弱いので対策の効果は期待できない。
【００４４】
そこで、本発明のように、ドア枠にローラを設ける構造のローラ機構Ｒを有する耐震装置Ｆを備えるドア装置に抉じ開け対策手段Ｇを適用する仕様とすれば、ドアとドア枠の間隙を従来通りの狭いものに設定することができるので、上述したドアロック機構の変更もロックバーの係合穴構造部を付設する変更も不要となってコスト的な不利が解消されるとともに、抉じ開け対策手段Ｇが強度や剛性に富むドア枠に対して機能する有効な状態で盛り込むことが可能になる。その結果、実質的に耐震仕様にすることと、十分効果的な抉じ開け対策を装備することとの双方を、コスト的な不利を招くことなく経済的に実現でき、総合性能に優れる改善された耐震用ドアを提供することに成功している。
【００４５】
〔別実施例〕
ドア側面１ａと中間縦枠３ｃとに跨る状態の耐震装置Ｆは、３箇所以上設けるとか、１箇所設けるといった構成でも良い。また、ドア上面と上横枠３Ａとに跨って耐震装置Ｆを設けるとか、ドア底面と下横枠３Ｂとに跨って耐震装置Ｆを設けるよいうにしても良い。また、ボールベアリング等のベアリングを設けてローラ機構Ｒとする手段でも良い。
【図面の簡単な説明】
【００４６】
【図１】袖パネル付玄関ドアの正面図（実施例１）
【図２】図１における内部側正面図（背面図）
【図３】図１における玄関ドア部分の縦断面図
【図４】図１における袖パネル部分の縦断面図
【図５】図１における横断面図
【図６】耐震装置の構造を示す要部の横断面図
【図７】図６におけるローラ機構部分を示す断面図
【図８】耐震装置の機能を示すドア枠変形時の作用図
【図９】ドアロック機構部分の横断面図
【図１０】図９におけるガード板を示す（ａ）側面図、（ｂ）底面図
【符号の説明】
【００４７】
１          ドア
１ａ        ドア側面
３          ドア枠
３７        ドアロック機構
５５        ローラ
５６        ピン軸
５５ａ      外周面
５７        支持金具
５７ａ      支承部
５７ｂ      取付座
ｋ          間隙
Ｆ          耐震装置
Ｐ          縦軸心
Ｒ          ローラ機構
Ｘ          上下向き軸心
【図１】
2008069534.tif 000003
【図２】
2008069534.tif 000004
【図３】
2008069534.tif 000005
【図４】
2008069534.tif 000006
【図５】
2008069534.tif 000007
【図６】
2008069534.tif 000008
【図７】
2008069534.tif 000009
【図８】
2008069534.tif 000010
【図９】
2008069534.tif 000011
【図１０】
2008069534.tif 000012